(57)【要約】本発明を適用したメガネでは、メガネ部品に開けられた擂鉢形状の孔に、つば部と円錐形状のテーパ部を有するテーパナットが嵌着される。もう一方のメガネ部品には雄ネジを貫通させる孔が形成されており、その孔に通された雄ネジとテーパナット内部に設けられた雌ネジを螺合することでこれらメガネ部品同士を結合する。また、結合する両方のメガネ部品に、連続する擂鉢形状の孔を開ける。そして、この孔にテーパナットを嵌め込むことで、両メガネ部品同士の回転を防止し、テーパナットのテーパが縮小する側から雄ネジを係合して両部品を結合する。
2002065193.tif 000002
【特許請求の範囲】
【請求項１】
リムロックを構成する第１のリムと第２のリムの、前記第１のリムの前記第２のリムに面さない側に拡大開口する孔テーパ部に、外側表面が円錐台形状を有するテーパ部と前記テーパ部の中心軸線上に形成された雌ネジと前記テーパ部の拡大側端部に前記テーパ部に対して突出して形成されたつば部と、を有するテーパナットを、前記テーパ部の縮小側端部である先端部が前記第２のリムに接触しない位置で係止されているよう嵌着し、前記第２のリムに設けられた貫通孔に通した雄ネジを前記雌ネジに挿入・締め付けることにより前記第１のリムと前記第２のリムを結合するリムロックを有することを特徴とするメガネフレーム。
【請求項２】
リムロックを構成する第１のリムと第２のリムの前記第１のリムに設けられた、中心軸方向の断面形状が円錐台形状をなす孔テーパ部に、円錐台の側面形状をなすテーパ部と前記テーパ部の中心軸上に形成された雌ネジと前記テーパ部の拡大側端部に前記テーパ部に対して突出して形成されたつば部と、を有するテーパナットを、前記つば部の表面が前記第１のリムの表面より埋没するよう嵌着し、前記第２のリムに設けられた貫通孔に通した雄ネジを前記雌ネジに挿入し、前記雄ネジのネジ頭が前記第１のリムの表面に対し埋没しているよう締め付けることにより前記第１のリムと前記第２のリムを結合するリムロックを有することを特徴とするメガネフレーム。
【請求項３】
リムロックを構成する第１のリム及び第２のリムを付き合わせた状態で少なくとも前記第１のリムに設けられた、中心軸方向の断面形状が円錐台形状をなす孔テーパ部に、外周表面が円錐台形状を有するテーパ部と前記テーパ部の中心部に形成された雌ネジと前記テーパ部の拡大側端部に前記テーパ部に対して突出して形成されたつば部と、を有するテーパナットを、前記孔テーパ部が拡大開口する側から前記第１のリムを貫通し前記第２のリムの中途にまで達しているように嵌着し、前記第２のリムに設けられた貫通孔に通された雄ネジを前記雌ネジに挿入し、前記テーパナットの先端に前記雄ネジのネジ頭が当接するまで締め付けることで前記第１のリム及び前記第２のリムを結合するリムロックを有することを特徴とするメガネフレーム。
【請求項４】
前記第２のリムに設けられた貫通孔はストレート状の孔であることを特徴とする請求の範囲第１項乃至第３項のいずれかの項に記載のメガネフレーム。
【請求項５】
前記第２のリムに設けられた貫通孔の一部が、前記第２のリムの前記第１のリムと当接する面の側に拡大開口する、前記第１のリムに設けられた前記孔テーパ部と連続する別の孔テーパ部を有することを特徴とする請求の範囲第３項に記載のメガネフレーム。
【請求項６】
前記第１のリムには、前記つば部の少なくとも一部が収納される孔段部を、前記孔テーパ部の拡大側終端に設けてあることを特徴とする請求の範囲第１項乃至第３項のいずれかの項に記載のメガネフレーム。
【請求項７】
前記雄ネジは、前記テーパナットの前記先端部の側から前記雌ネジに螺合していることを特徴とする請求の範囲第１項乃至第３項のいずれかの項に記載のメガネフレーム。
【請求項８】
枝分かれした智の間にテンプルの一部を挟み、前記枝分かれした智及びその間に挟まれた前記テンプルの一部にネジを通すことで両部品を連結する智とテンプルの連結構造を有するメガネフレームにおいて、
少なくとも上下枝分かれしたうちの一方の智に形成された拡大開口する孔テーパ部に、円錐台の側面形状をなすテーパ部と、前記テーパ部の中心軸上に形成された雌ネジと、前記テーパ部の拡大側端部に前記テーパ部に対して突出して形成されたつば部と、を有するテーパナットを、前記枝分かれした智の間に挟まれた前記テンプルの一部に設けられた第１の貫通孔を前記テーパ部の縮小側端部である先端部が貫通・通過するよう嵌着し、前記テーパナットを嵌着した方とは反対側の智に設けられた第２の貫通孔に雄ネジを通し、前記雌ネジと螺合することで前記智とテンプルを連結することを特徴とするメガネフレーム。
【請求項９】
前記雄ネジのネジ頭の先端部が、前記テーパナットの前記先端部と接触するよう螺合されていることを特徴とする請求の範囲第８項に記載のメガネフレーム。
【請求項１０】
前記第１の貫通孔にはテーパが形成されておらず、前記テンプルは前記テーパナットに対して摺動自在であることを特徴とする請求の範囲第８項に記載のメガネフレーム。
【請求項１１】
前記第２の貫通孔の一部にテーパが形成されており、前記第２の貫通孔には前記テーパナットの前記先端部が嵌着していることを特徴とする請求の範囲第８項に記載のメガネフレーム。
【請求項１２】
前記テーパナットは前記リム又は前記智よりも硬い材質を用いて作成されていることを特徴とする請求の範囲第１項乃至第１１項のいずれかの項に記載のメガネフレーム。
【請求項１３】
前記雄ネジの外径が１．４ｍｍであり、前記テーパナットのテーパ部と前記孔テーパ部のテーパの値が等しく、そのテーパの値が１／３０以上１／１５以下であることを特徴とする請求の範囲第１項乃至第１２項のいずれかの項に記載のメガネフレーム。
【請求項１４】
メガネレンズの顔に面する側の表面に拡大開口するよう形成された、中心軸方向の断面形状が円錐台形状をなす孔テーパ部に、外周表面が円錐台形状をなすテーパ部と、前記テーパ部の中心軸上に形成された雌ネジと、前記テーパ部の拡大側端部に前記テーパ部に対して突出して形成されたつば部と、を有するテーパナットが嵌着され、リム又はブリッジに形成された貫通孔に貫通した雄ネジを前記雌ネジに螺合することで前記メガネレンズと前記リムもしくは前記メガネレンズと前記ブリッジが結合されることを特徴とするメガネ。
【請求項１５】
前記孔テーパ部には、前記つば部の少なくとも一部が収納される孔段部が前記孔テーパ部の拡大側終端に連結して設けられ、前記つば部の表面が前記メガネレンズの顔に面する側の表面から突出しないように、前記テーパナットが前記メガネレンズに嵌着されていることを特徴とする請求の範囲第１４項に記載のメガネ。
【請求項１６】
前記テーパ部の縮小側端部である先端部が前記リム又は前記ブリッジに接触しない位置で係止するよう嵌着されていて、前記貫通孔はストレート状の穴であることを特徴とする請求の範囲第１４項に記載のメガネ。
【請求項１７】
メガネレンズの顔に面さない側の表面に拡大開口するよう形成された、中心軸方向の断面形状が円錐台形状をなす孔テーパ部に、外周表面が円錐台形状をなすテーパ部と、前記テーパ部の中心軸上に形成された雌ネジと、前記テーパ部の拡大側端部に前記テーパ部に対して突出して形成されたつば部と、を有するテーパナットが嵌着され、リム又はブリッジに形成された貫通孔に貫通した雄ネジを前記雌ネジに螺合することで前記メガネレンズと前記リムもしくは前記メガネレンズと前記ブリッジが結合されることを特徴とするメガネ。
【請求項１８】
前記テーパナットは前記メガネレンズよりも硬い材質を用いて作成されていることを特徴とする請求の範囲第１４項乃至第１７項のいずれかの項に記載のメガネ。
【請求項１９】
前記雄ネジの外径が１．４ｍｍであり、前記テーパナットのテーパ部と前記孔テーパ部のテーパの値が等しく、そのテーパの値が１／３０以上１／１５以下であることを特徴とする請求の範囲第１４項乃至第１８項のいずれかの項に記載のメガネ。
【請求項２０】
複数のフレーム部品の連結を要するメガネフレームの製造方法において、
外側表面が円錐台形状を有するテーパ部と前記テーパ部の中心軸上に形成された雌ネジと前記テーパ部の拡大側端部に前記テーパ部に対して突出して形成されたつば部と、を有するテーパナットを用意するステップと、
中心軸方向の断面形状が円錐台形状をなす孔テーパ部を有する第１のフレーム部品を用意するステップと、
貫通孔を有する第２のフレーム部品を用意するステップと、
前記第１のフレーム部品の前記孔テーパ部に前記テーパナットを嵌着するステップと、
前記第２のフレーム部品の前記貫通孔に雄ネジを貫通せしめるステップと、
前記孔テーパ部の中心軸と前記貫通孔の中心軸が一致するように前記第１のフレーム部品と前記第２のフレーム部品を対峙させるステップと、
前記雄ネジを前記雌ネジに螺合し、締め付けるステップと、
を有することを特徴とするメガネフレームの製造方法。
【請求項２１】
前記テーパ部の縮小側端部である先端部が前記第２のフレーム部品に接触しない位置で係止するように、前記テーパナットを前記第１のフレーム部品に嵌着することを特徴とする請求の範囲第２０項に記載のメガネフレームの製造方法。
【請求項２２】
前記孔テーパ部の拡大側終端に設けてある孔段部に前記つば部の少なくとも一部を収納することで前記つば部の表面が前記第１のフレーム部品の表面から突出しないよう嵌着し、前記雄ネジのネジ頭が前記第２のフレーム部品の表面から突出しないよう前記テーパナットに螺合し、締め付けることを特徴とする請求の範囲第２０項に記載のメガネフレームの製造方法。
【請求項２３】
メガネレンズの智又はブリッジへの結合を要する縁の無いメガネの製造方法において、
外側表面が円錐台形状を有するテーパ部と前記テーパ部の中心軸上に形成された雌ネジと前記テーパ部の拡大側端部に前記テーパ部に対して突出して形成されたつば部と、を有するテーパナットを用意するステップと、
中心軸方向の断面形状が円錐台形状をなす孔テーパ部が形成された孔テーパ部を有するメガネレンズを用意するステップと、
貫通孔が形成された前記智又は前記ブリッジを用意するステップと、
前記テーパナットを前記メガネレンズの前記孔テーパ部に嵌着するステップと、
前記智又は前記ブリッジに形成された貫通孔に雄ネジを貫通するステップと、
前記孔テーパ部の中心軸と前記貫通孔の中心軸が一致するように前記メガネレンズと前記智又は前記ブリッジを対峙させるステップと、
前記雄ネジを前記雌ネジに螺合し、締め付けるステップと、
を有することを特徴とする縁の無いメガネの製造方法。
【請求項２４】
前記テーパ部の縮小側端部である先端部が前記智又は前記ブリッジに接触しない位置で係止するように、前記テーパナットを前記智又は前記ブリッジに嵌着することを特徴とする請求項２３に記載のメガネの製造方法。
【請求項２５】
前記孔テーパ部の拡大側終端に設けてある孔段部に前記つば部の少なくとも一部を収納することで前記つば部の表面が前記メガネレンズの表面から突出しないよう嵌着し、前記雄ネジのネジ頭が前記智又は前記ブリッジの表面から突出しないよう前記テーパナットに螺合し、締め付けることを特徴とする請求の範囲第２３項に記載のメガネの製造方法。
【請求項２６】
請求の範囲第２０項の方法により製造されるメガネフレーム。
【請求項２７】
請求の範囲第２３項の方法により製造されるメガネ。
【請求項２８】
メガネレンズとメガネフレーム部品を結合してなるメガネにおいて、
外周表面が円錐台形状をなすテーパ部と、前記テーパ部の中心軸線を含んで形成された雌ネジと、前記テーパ部の拡大側端部に前記テーパ部に対して突出して形成されたつば部と、を有するテーパナットが、
メガネレンズの、メガネフレーム部品を取り付ける面とは反対側の面に拡大開口するよう形成された、中心軸方向の断面形状が円錐台形状をなす第１のテーパ孔と、
メガネフレーム部品の、メガネレンズと接触する側の表面に拡大開口するよう形成されたテーパ状の孔を有する第２のテーパ孔に、それぞれ嵌着され、
前記第２の孔テーパ部を貫通する雄ネジであって、前記雄ネジは前記テーパナットの雌ネジに係合されていることを特徴とするメガネ。
【請求項２９】
前記テーパナットのテーパ部が縮小する側の先端は、前記第２のテーパ孔の中途に達して留まることを特徴とする請求の範囲第２８項に記載のメガネ。
【請求項３０】
前記テーパナットのテーパ部が縮小する側の先端は、前記第２のテーパ孔から突出し、
前記メガネフレーム部品と前記雄ネジの間にワッシャを介在させてなることを特徴とする請求の範囲第２８項に記載のメガネ。
【請求項３１】
前記テーパナットのテーパが縮小する方向の先端部は、前記第２のテーパ孔から突出し、
前記突出した先端部は前記雄ネジの締め付けにより変形させてなることを特徴とする請求の範囲第２８項に記載のメガネ。
【請求項３２】
前記第２のテーパ孔の、前記テーパナットの先端部が突出している側の開口部は面取り部を有し、前記変形したテーパナットの先端部が前記面取り部を覆うことを特徴とする請求の範囲第３１項に記載のメガネ。
【請求項３３】
前記雄ネジはネジ頭の下に、ネジ部からネジ頭の方向へ拡開する反りを形成したコーナ部を有し、
前記コーナ部は前記雄ネジの締め付けにより前記テーパナットの先端部を変形させることを特徴とする請求の範囲第３１項に記載のメガネ。
【請求項３４】
メガネレンズとメガネフレーム部品を対峙させ、両者を結合してなるメガネにおいて、
外周表面が円錐台形状をなす第１のテーパ部と、前記第１のテーパ部の中心軸上に形成された雌ネジと、前記第１のテーパ部の拡大側端部に前記テーパ部に対して突出して形成されたつば部と、を有するテーパナットが、
前記メガネフレーム部品を結合する側とは反対側の表面へ拡大開口するよう形成された、中心軸方向の断面形状が円錐台形状をなす、前記メガネレンズに形成された第１のテーパ状の孔に嵌合され、
ネジ頭とネジ部の間に、ネジ頭からネジ部へ向けて縮小するテーパを有する第２のテーパ部を有する雄ネジが、
前記メガネレンズと結合する側の反対側の表面へ拡大開口するよう形成された、中心軸方向の断面形状が円錐台形状をなす、前記メガネフレーム部品に形成された第２のテーパ状の孔に嵌合され、
前記雌ネジと前記雄ネジが係合していることを特徴とするメガネ。
【請求項３５】
メガネレンズとメガネフレーム部品を有するメガネにおいて、
外周表面が円錐台形状をなす第１のテーパ部と、前記第１のテーパ部の中心軸上に形成され、前記第１のテーパ部の拡大側端部の方向へ縮小するテーパ状の孔を有する第１のテーパ孔と、前記第１のテーパ部の拡大側端部に前記テーパ部に対して突出して形成されたつば部と、を有する第１のテーパナットが、
前記メガネフレーム部品を結合する側の反対側の表面へ拡大開口するよう形成された、中心軸方向の断面形状が円錐台形状をなす、前記メガネレンズに形成された第２のテーパ孔に嵌めこまれ、
外周表面が円錐台形状をなす第２のテーパ部と、前記第２のテーパ部の中心軸上に形成された雌ネジと、前記第２のテーパ部の拡大側端部に前記テーパ部に対して突出して形成されたつば部と、を有する第２のテーパナットが、
前記メガネレンズと結合する側の反対側の表面へ拡大開口するよう形成された、中心軸方向の断面形状が円錐台形状をなす、前記メガネフレーム部品に形成された第３のテーパ孔に嵌めこまれ、
前記第２のテーパ部の少なくとも一部が前記第１のテーパ孔に嵌合していて、
前記第２のテーパ孔を貫通する雄ネジと前記雌ネジが係合されていることを特徴とするメガネ。
【請求項３６】
メガネレンズとメガネフレーム部品を有するメガネにおいて、
外周表面が円錐台形状をなす第１のテーパ部と、前記第１のテーパ部のテーパが縮小する方向と反対方向に縮小するテーパを有する第２のテーパ部と、前記第１のテーパ部及び前記第２のテーパ部の中心軸線上に形成された貫通孔と、前記第１のテーパ部と前記第２のテーパ部の間に前記第１のテーパ部及び前記第２のテーパ部に対して突出して形成されたつば部と、を有するテーパナットの、
前記第１のテーパ部が、メガネレンズの、メガネフレーム部品を取り付ける面に拡大開口するよう形成された、中心軸方向の断面形状が円錐台形状をなす第１のテーパ状の孔に嵌着されており、
前記第２のテーパ部が、メガネフレーム部品の、メガネレンズと接触する側の表面に拡大開口するよう形成されたテーパ状の孔を有する第２の孔テーパ状の孔に嵌着されており、
前記第２のテーパ部の側から前記貫通孔を貫通するボルトが、前記第１のテーパ部の側からナットと係合していることを特徴とするメガネ。
【請求項３７】
外周表面が円錐台形状をなす第１のテーパ部と、前記第１のテーパ部の拡大側端部に前記テーパ部に対して突出して形成されたつば部と、前記第１のテーパ部の中心軸線上に形成され、前記第１のテーパ部の縮小側端部から前記つば部の方向へ縮小するテーパ状の孔を有する第１のテーパ孔と、を有する第１のテーパナットが、
第１の部材に形成された、中心軸方向の断面形状が円錐台形状をなす第２のテーパ孔に嵌めこまれ、
外周表面が円錐台形状をなす第２のテーパ部と、前記第２のテーパ部の中心軸上に形成された雌ネジと、前記第２のテーパ部の拡大側端部に前記テーパ部に対して突出して形成されたつば部と、を有する第２のテーパナットが、
第２の部材に拡大開口するよう形成された、中心軸方向の断面形状が円錐台形状をなす、前記メガネフレーム部品に形成された第３のテーパ孔に嵌めこまれ、
前記第２のテーパ部の少なくとも一部が前記第１のテーパ孔に嵌め込まれていて、
前記第２のテーパ孔を貫通する雄ネジと前記雌ネジが係合されていることを特徴とする部材の締結構造。
【請求項３８】
外周表面が円錐台形状をなす第１のテーパ部と、前記第１のテーパ部のテーパが縮小する方向と反対方向に縮小するテーパを有する第２のテーパ部と、前記第１のテーパ部及び前記第２のテーパ部の中心軸線上に形成された貫通孔と、前記第１のテーパ部と前記第２のテーパ部の間に前記第１のテーパ部及び前記第２のテーパ部に対して突出して形成されたつば部と、を有するテーパナットの、
前記第１のテーパ部が、第１の部材に拡大開口するよう形成された、中心軸方向の断面形状が円錐台形状をなす第１のテーパ状の孔に嵌着されており、
前記第２のテーパ部が、メガネフレーム部品の、第２の部材に拡大開口するよう形成されたテーパ状の孔を有する第２の孔テーパ状の孔に嵌着されており、
前記第１の部材の側から前記貫通孔を貫通するボルトが、前記第２の部材の側にてナットと係合していることを特徴とする部材の結合構造。
【発明の詳細な説明】
技術分野
本発明は、メガネフレーム及びその組立製造方法、メガネレンズの取付構造に係り、特に智もしくはブリッジ等のメガネフレーム部品の取付部分、リムロック、テンプルと智の連結部分等、そして縁無しメガネのメガネレンズとメガネフレーム部品における、メガネ部品同士の結合構造に関するものである。
背景技術
一般的なメガネのレンズ取付構造は図２４及び図２５に示すように、レンズ４にドリル等で開けられた貫通孔４１及び智５にドリル等で開けられた貫通孔５０に、雄ネジ７をレンズ４の表面側から貫通させ、レンズ４の裏面側に突出した雄ネジ７をナット８で螺合することにより、レンズ４を智５に対し結合するものである。
特開２０００−１０５３５６号公報に記載されたメガネのレンズ取付構造においては、智と一体的に形成され、その内周面には雌ネジが形成された楕円柱状の挿嵌柱状体を、メガネのレンズに開けられた楕円状の貫通孔にレンズの一方側から嵌合し、レンズの他方側から雄ネジを有する留め具を挿嵌柱状体の雌ネジに螺合することでレンズと智を結合する。特に、当該公報の図１６およびそれを説明する段落［００２９］と、同じく当該公報の図１９およびそれを説明する段落［００３３］から［００３４］には、挿嵌柱状体と智がそれぞれ別の部品からなる例が示されている。
また、パッドとパッド足、リムロック等の結合構造やテンプルと智の連結部分等では、これら結合する部材それぞれの一部に貫通孔を設け、これらの貫通孔に雄ネジを通しナットにて結合する方法や、結合する部材を貫通する孔の内部に直接雌ネジを形成し、この雌ネジに雄ネジを係合することで複数の部材を結合する方法が一般的である。
特開平１０−１７０８７２号公報に記載されたメガネフレームのネジロック構造においては、リムロック部分に貫通した孔に、内周面に雌ネジを形成したパイプを一方側から挿嵌して、この雌ネジに他方側から雄ネジを螺合することで上下のリムを結合する。このパイプには、ネジの締め付けによる抜けを防ぐために、つばもしくは外周面にテーパが形成されている。
メガネの軽量化に伴いブリッジ、リム、テンプル等のメガネフレーム部品には、より軽量な素材が求められており、例えばマグネシウムの適用が考えられている。このマグネシウムは軽量であるが、従来のメガネ部品に用いられている他の金属類と比較して硬度が低い。このように硬度の低い材質からなるメガネ部品をネジにより結合すると、ネジを通すために部材に貫通したネジ孔に加わる大きな応力のため、メガネを長い間使用しているとネジが緩んだり、ネジ孔がくずれるなどし、引いてはメガネ部品が破損する恐れがある。
メガネ部品の破損を防ぐには、ネジ孔を補強する方法が考えられる。先に挙げた特開平２０００−１０５３５６号公報のレンズ取付構造では、楕円柱状の挿嵌柱状体を用いてネジ孔を補強している。
このレンズ取付構造では、メガネレンズに開けられた挿嵌柱状体を挿嵌する孔はストレート状の孔である。このため挿嵌柱状体の外周面は、雄ネジを締め付ける方向に生じる力を孔の内周面に伝えず、雄ネジ及び挿嵌柱状体がレンズと接するレンズおよびメガネフレーム部品それぞれの表面部分にその力が集中し、特に軟質な材料からなるメガネフレーム部品を締付ける場合には部品の破損もしくは部品の塑性変形による雄ネジの緩みが生じる恐れがある。さらに挿嵌柱状体を智と係合させるため、挿嵌柱状体のつば部分に複数の段部を形成するなどその係合部分は複雑な形状をなし、加工が容易では無い。また、レンズ面はカーブを描いているため、智の平面とレンズ面を完全に密着して向かい合わせることは難しく、智とレンズ面の間のわずかな隙間がネジの緩み原因となるおそれがある。この隙間を無くすためにパッドやワッシャ等の密着部材を用いると、部品点数が多くなり、その分製造工程及びコストが増加する。
特開平１０−１７０８７２号公報に記載されたメガネフレームのネジロック構造では、つば付きのパイプでネジ孔を補強するが、このつば付きのパイプには挿嵌柱状体の補強部材と同様に、ネジを締付ける方向に対して力が集中するため、ネジを締付け過ぎると部材に損傷を与えるという問題点がある。つまり、ネジの締付け力がメガネ部品に作用するのはパイプのつば部分でしかなく、ここに大きな力が作用するとメガネ部品に傷をつけ、部品同士を結合する際にもパイプとメガネ部品の係合という観点からは十分ではない。
特開平１０−１７０８７２号公報により開示されたもう一つの補強部材である外周面にテーパの付いたパイプでは、ネジを締付ける方向に対する応力はテーパの角度の分だけ孔の外周面に対して分散されるため、結合する部材を損傷する可能性は低い。しかし、テーパの角度が鋭角すぎるとネジの締付けによりパイプが貫通孔から抜けてしまう。また、テーパの角度が鈍角であると、結合するメガネ部品にそれだけ大きな孔を開けることになり、メガネ自体の強度を低下させることになる。よって、メガネ部品に対し補強部材がほどよく締まりばめになるためには、補強部材に設けるテーパの角度や補強部材そのものの大きさ等を検討する必要がある。
発明の開示
本発明の目的は、メガネに用いられるネジの緩みを防止することである。また本発明の他の目的は、ツーポイント支持のメガネにおいて、メガネレンズとメガネフレーム部品とを結合する際に、メガネレンズとメガネフレーム部品とがネジ結合部を中心に回転することを防止することである。
本発明では、メガネレンズやメガネフレーム部品等のメガネ部品同士を結合するため、雄ネジと雌ネジを螺合する部分にテーパナットを用いる。テーパナットは、メガネ部品に設けられたテーパを有する孔に嵌め込まれることにより、メガネレンズやメガネフレーム部品中で容易に回動しないよう固定される。そして、別のメガネ部品に設けた貫通孔に雄ネジ（ボルト）を通し、テーパナットの中心軸線上に設けた雌ネジと貫通孔に通した雄ネジを係合することにより、２つまたはそれ以上のメガネ部品同士を結合する。
メガネ部品に設けられるテーパを有する孔のテーパ角はテーパナットのテーパ角とほぼ等しく、このテーパの傾斜角を考慮することにより、テーパナットは一度部メガネ品中に嵌め込まれたら容易に回転をせず、またメガネ部品から容易に抜け落ちることは無い。また、テーパナットはテーパが拡大する側の端部に「つば」を有するため、ネジにより強く締め付けてもテーパナットがメガネ部品中に必要以上に潜り込むことは無い。また、この「つば」は、ネジによる締め付けの力を、メガネ部品同士を結合する方向に伝える。
このテーパナットをメガネ部品同士の結合に用いれば、メガネ部品中に摺動することなくしっかりと固定されたテーパナットがネジの締め付けの力をメガネ部品に確実に伝えるため、より強固にメガネ部品同士を固定することが可能となる。また、テーパナットがメガネ部品中で容易に回転しないよう固定されているため、単純な結合構造にてメガネ部品同士の回転を防ぐことが可能となる。これによりメガネの結合部分、特にメガネレンズと智やブリッジ等のメガネフレーム部品との結合構造がシンプルになるため、メガネのデザインの自由度が増し、今までに無いデザインのメガネを製作することが可能となる。
本発明では、リムロックにおいてリム同士を結合するのにテーパナットを用いる。この場合、テーパナットが嵌め込まれていない方のリムに対し、テーパナットの先端部が到達している場合と到達していない場合について発明の開示を行なっている。
本発明では、メガネ部品である智とテンプルを結合するのにテーパナットを用いる。枝分かれした智の一部によりテンプルを挟み込み、この智の一部およびテンプルに貫通孔を設ける。智の一部に設けられた貫通孔にはテーパが設けられており、このテーパに、テンプルを挟み込んだ状態でテーパナットを嵌め込む。そして、智の一部に対し、テーパナットを嵌め込んだのとは反対側から雄ネジ（ボルト）を通し、テーパナットの雌ネジ部と締め付けることにより、智とテンプルを結合する。
本発明により、テンプルと智が自由に回動し、かつ智に対し締まりばめとなっているテーパナットにより両メガネ部品を強固に固定することが可能となる。
本発明ではメガネレンズと、智やブリッジ等のメガネフレーム部品との結合にテーパナットを用いている。メガネレンズもしくはメガネフレーム部品の一方にはテーパを有する孔が開いており、その孔にはテーパナットが嵌め込まれている。もう一方のメガネ部品には貫通孔が開けられており、テーパを有する孔と貫通孔が揃うようにメガネレンズとメガネフレーム部品とが向かい合わされている。テーパナットの内周面には雌ネジが形成されており、その雌ネジに対してテーパナットのつばのついていない先端部の方から雄ネジ（ボルト）が係合し、メガネレンズとメガネフレーム部品とを結合している。
もしくは本発明では、メガネレンズとメガネフレーム部品の双方にテーパを有する孔を開け、この孔の位置が合うようにこれらメガネ部品をつきあわせた状態で双方の部品に対してテーパナットを嵌め込み、テーパナットのつばのついていない先端部の方から雄ネジ（ボルト）を締め付けることで、メガネレンズとメガネフレーム部品とを結合している。
本発明により、余計な部品を装填することなくシンプルな構成にてメガネレンズとメガネフレーム部品を結合することが可能となる。また、メガネレンズとメガネフレーム部品双方にテーパを有する孔を開ける場合は、双方の部品がテーパナットにより固定されるため、メガネレンズとメガネフレーム部品相互の回転を防止するための特別な機構を設けることなく、それらの回転を防止することが可能となる。
発明を実施するための最良の形態
図１は一点鎖線で囲んだＸ部に示すリムロックに、本発明の一実施形態による雌ネジ付きのテーパコマであるテーパナットを用いたメガネを図示したものであり、図２はＸ部の拡大図である。雌ネジ付きのテーパコマであるテーパナット１は、図３に示すようにテーパ部１２とつば部１１を有し、この部分の作用については本出願人の出願による特開平９−２８７６０９号公報の図１及び段落［００２７］から［００３４］に開示されている。つまり、テーパ部１２はその外側表面が円錐台形状を有し、つば部１１はテーパ部の拡大側部に形成されている。また、つば部１１の下面はテーパ部１２の軸方向に直行している。さらにテーパナット１の内部には、予め雌ネジ１２１が形成されており、雌ネジ１２１の中心軸はテーパ部１２の中心軸線上に存在する。
テーパナットを結合部材に嵌着させる概略的な動作は、特開平９−２８７６０９号公報の図５及び段落［００４１］から［００５０］に示されている。つまり、専用の総形ドリルを用いて被結合部材（図２においてはリム２１）にテーパナット１を挿入するための孔２３を加工成形する。すると、孔２３には孔テーパ部と、孔段部が成形される。
この孔には特開平９−２８７６０９号公報の図４及び段落［００３８］から［００３９］に示すように、雌ネジガイド孔部と孔終端面取り部が形成されても良い。この孔２３に挿入されるテーパナット１のテーパ部１２は、嵌合される孔２３の孔テーパ部に対して軽く締まりばめになる寸法となっている。すなわち、孔２３にテーパナット１を単にかぶせた状態では、つば部１１の下面は孔２３の孔段部から浮き上がる。孔２３の孔テーパ部とテーパナット１のテーパ部１２が係合するため、孔２３の中心軸とテーパナット１の中心軸は、一致する。従って、孔２３をリム２１の表面に対して直交するように形成することにより、テーパナット１の軸中心は、リム２１の表面に直交することになる。テーパナット１中に形成した雌ネジ１２１の軸中心をテーパナット１のテーパ部１２の軸中心と一致させておくことにより、容易に、雌ネジ１２１の中心軸をリム２１の表面に対して直交させることができる。そして、テーパナット１のつば部１１の上面を打ち込み用ハンマー等を用いて叩くことにより、テーパナット１がリム２１に形成された孔２３の中に打ち込まれ、つば部１１の下面が孔２３の孔段部に当たって停止する。
尚、本発明の一実施形態にかかるメガネ用のテーパナットは小さいため、打ち込み用ハンマーを用いずに人力にてテーパナット１を孔２３に挿入することも可能である。このようにテーパ形状をなすナットをメガネ部品に圧入する作業は容易であるため、メガネの製造工程を複雑化することなくネジの緩みを抑えることが可能になる。また、リム２１に嵌着されたテーパナットは雄ネジ３による締付けが無い状態でもリム２１から抜け落ちることは無く、メガネの使用中に仮に雄ネジ３との螺合が外れても、テーパナット１がリム２１から外れて紛失することは無い。
図２のリムロックに用いられるテーパナット１の長さは孔２３の深さよりも短く、リム２１に打ち込まれたテーパナット１の先端はリム２１の中途に達して停止する。つまり、テーパナット１のテーパが縮小する側の端部である先端部がリム２に接触しない。図２の実施形態に限らず、テーパナットを嵌着する方のメガネ部品からテーパナットのテーパ部の縮小側端部である先端部が突出しない場合は、もう一方の部品（図２においてはリム２）には雄ネジが貫通するだけの孔径を有する孔を形成すれば良い。つまり、図２のリム２１にはテーパナット１を嵌着するために専用の総形ドリルを用いて孔２３を開け、リム２には雄ネジ３を通すための孔２２をそれぞれ別工程で開ければ良い。このように、リム２１に開けられる孔２３とリム２に開けられる孔２２の孔径を合わせる必要が無いため、リム２、２１を揃え合わせてドリル等で同時に孔を加工する必要が無く、孔を加工する工程を単純化することが出来る。また、図２の実施形態に限らないがテーパナット１は孔２３とテーパ部１２にて面接触し、かつ、リム２１中に締まりばめされた状態にあるため、リム２１に対しテーパナット１が緩んだり回動することは無く、雄ネジ３にてリム２、２１同士を結合する場合においてもネジの緩みが生じにくくなる。
図４（Ａ）及び（Ｂ）では上述の方法により、リム２１に開けられたテーパ状の孔２３０にテーパナット１００が嵌合されている。リム２には、雄ネジ３及びテーパナット１００のテーパ部とほぼ同じテーパ形状を有する孔２２０が専用の総形ドリルにより開けられており、この孔２２０を通して雄ネジ３とテーパナット１００が螺合される。雄ネジ３には、メガネ用ネジとしてその大きさが規格化されているＭ１．４（雄ネジ部分の外径が１．４ｍｍ）のネジを用いれば、既に流通している部品を流用できるため、新たにテーパナット専用のネジを開発する時間的、経済的コストを縮小することができる。
メガネ用ネジのようなＭ２．０（雄ネジ部分の外径が２．０ｍｍ）以下の微小なネジにテーパナットを適用する際には、テーパナットをテーパの付いた孔に軽くかぶせた時にテーパナットのつば部が孔から浮き上がっている量である締まりばめ代は、０．０５〜０．３ｍｍ程度が適当である。また、テーパナットが打ち込まれやすく、しかも打ち込んだあと信頼性良く保持されるためには、テーパの値は１／３０〜１／１５程度が好ましい。
図４（Ｂ）に示すテーパナット１００は図２のテーパナット１よりもその全長が長く、テーパナット１００の先端がリム２の中途にまで達している。このため、リム２に設けられる孔２２０はテーパナット１００の先端部が収まる程度の孔径を有する。この実施形態では、リム２、２１を付き合わせた状態で専用の総計ドリルを用いて孔２３０、２２０を同時に形成しても良い。この場合、孔２２０は貫通せず途中まで形成し、別工程で、雄ネジ３を通すための孔をテーパが形成されている方とは反対側からリム２に開ける。これにより孔２２０の一部にテーパが形成され、リム２、２１を付き合わせた状態でテーパナット１００を嵌着すると、リム２１のみならずリム２に対してもテーパナット１００が締まりばめの状態となり、さらに孔２２０に通した雄ネジ３によって締付けることでより強固にリム２、２１を結合することが可能となる。尚、孔２２０はテーパを有さないストレート形状の孔でも良い。
メガネフレームの一部であるリム２、２１の材料にはメガネの軽量化のためチタンやマグネシウムが用いられることが想定されるが、この場合、テーパナット１の材料にはリム２、２１に用いられる材料と同等もしくはそれよりも硬度の高い材料が適当である。リム２、２１にチタンが用いられる場合は、テーパナット１の材料にはチタンもしくはそれ以上の硬度を有する材料が相応しい。また、リム２、２１にマグネシウムやステンレス、加工性が良いヨーハク、コバルトやプラスチック等が用いられるなら、テーパナット１の材料にはそれらよりも硬度の高いチタンやステンレス、硬質プラスチック等を選択することが望ましい。
図５は縁無しメガネにおいて、ブリッジ６とメガネレンズ４、及びメガネレンズ４と智５をネジを用いて結合した様子を示している。図２４及び図２４の一点鎖線で囲んだＷ部を拡大した図２５に示す従来の方法では、智５及びメガネレンズ４にそれぞれ孔５０、４１を開け、この孔５０、４１に雄ネジ７をメガネレンズ４が顔と面する方とは逆側から通し、メガネレンズ４が顔と面する方からナット８を雄ネジ７と螺合することで、メガネレンズ４と智５を結合している。ここで、雄ネジ７が顔の方向に突出する場合は、キャップ９を着ける等してメガネ装着時の安全性を高める。しかし、この従来の方法では少なくともナット８の厚み分だけ雄ネジ７が顔方向に突出するため、メガネの清掃がしづらく、またメガネをかけた人間が転倒などした際には、この突出部分により顔に傷がつく、突出部分が目に入る等の危険性がある。
これに対し、図６及び図６の一点鎖線で囲んだＹ部を拡大した図７に示すテーパナット１０を用いてメガネレンズ４と智５もしくはメガネレンズとブリッジ６を結合する構造では、メガネレンズ４には専用の総形ドリルを用いてテーパナット１０を嵌合するための孔４２が形成され、テーパナット１０はこの孔４２の中に埋め込まれる。孔４２は、それに嵌合されるテーパナット１０のテーパ部とほぼ等しい角度のテーパを有する孔であり、専用の総形ドリル等で形成される。
テーパナット１０は孔４２に埋め込まれるため、テーパナット１０の上端部をメガネレンズ４の表面と一平面上に、もしくはそれより下に位置させることが可能である。また、雄ネジ７２の長さを調整することで、雄ネジ７２が顔の方向に突出することを無くす、もしくはその突出する大きさを抑えることができる。これによりメガネをかけた際に視野が広がり、レンズの清掃も容易となり、また転倒時やメガネに衝撃が加わった時にテーパナット１０や雄ネジ７２により顔や目を傷つける恐れも無い。
さらに、メガネレンズ４はその度数やデザインにより、表面にそれぞれ固有の曲率のカーブが形成されているため、従来のようにメガネレンズ４を智５やブリッジ６の一部で挟み込む機構でメガネレンズ４を固定する方法ではそのはさみこみの部分に空隙を生じる場合があり、その空隙の分だけメガネ部品が摺動することでネジの緩みの原因となる恐れがある。しかし図７に示す実施形態では、メガネレンズ４中にテーパナット１０を埋め込んで使用するため、メガネレンズ４に形成された孔４２の締まりばめによりテーパナット１０はメガネレンズ４中に固定されるため、緩みが生じにくくなる。
一方、図８に示す実施形態では、メガネレンズ４に対し、テーパナット１０１を嵌着するためのテーパを有する孔４０１が、メガネレンズ４の顔に面する側に拡大開口するように開けられている。同様に智５には、メガネレンズ４と接する側に拡大開口するように、テーパを有する孔５０１が開けられている。この実施形態では、テーパナット１０１がこれら孔４０１と孔５０１にしまりばめとなるように嵌着される。そして、智５のメガネレンズ４と面さない側から雄ネジ７２０を孔５０１に貫通させ、これをテーパナット１０１の内周面に形成された雌ネジ１０１３に対し係合して締め付けることでメガネレンズ４と智５を結合する。
智５に設ける孔５０１については、孔段部を形成しないように総形ドリルの中途までを智５に貫通させる。最終的に、メガネレンズ４と智５とがテーパナット１０１にしっかり嵌着されるようにするために、智５に設ける孔５０１はドリルを手作業にて回す等の微調整を行なう等してもよい。
上述のように図８に示す実施形態では、テーパナット１０１はメガネレンズ４と智５に対してしまりばめの状態となっている。つまりテーパナット１０１は、メガネレンズ４の孔４０１と智５の孔５０１に嵌め込まれた状態で、孔４０１と孔５０１のテーパ面からの反発力による押力で回転できないように固定される。これは逆にメガネレンズ１及び智２の、テーパナット５に対する回転が防止されることを意味する。このように、メガネレンズ４と智５に開けられたテーパ状の孔にテーパナット１０１を嵌合することで、両方のメガネ部品の回転を防止しつつ、両部品を結合することが可能となる。
図９は、メガネレンズ４に対し顔に面する側の方に智５を配置して、テーパナット１０１を用いて両部品を結合した様子を示す断面図である。図８との違いは図に示すとおり、メガネレンズ４の顔に面さない側に拡大開口する孔４０２を開けている点である。これに伴い、智５の孔５０２についてもメガネレンズ４の孔４０２に設けたテーパの方向にあわせて、図８に示す孔５０１とは反対の方向にテーパを設ける。メガネレンズ４と智５の回転を防止する作用は図８において説明したように、両メガネ部品に嵌着されたテーパナット１０１と、孔４０２及び孔５０２との反発力から生じる強い摩擦力によるものである。
また、図８及び図９に示すように、メガネレンズとメガネフレーム部品とを結合する実施形態においては、メガネのデザインとの関係から必ずしもテーパナットがメガネレンズもしくはメガネフレーム部品に対し直交するように嵌め込まれるとは限らない。
図１０は、図８に示した取付構造において、テーパナット１０１の先端部が智５から飛び出している場合の対応策を示している。この場合、図１０に示すようにワッシャ２７１を雄ネジ７２０の下に敷くことで、テーパナット１０１の雌ネジに締めつけられた雄ネジ７２０の締め付け力がワッシャ２７１を介して智５に伝わり、メガネレンズ４と智５は図８に示した実施形態のように強固に固定される。この実施形態におけるメガネレンズ４と智５の回転防止作用も、図８で説明したように、テーパナット１０１とメガネレンズ４および智５に対するしまりばめによるものである。
図１０に示す実施形態は図８の実施形態に対応するものであるが、同様に図９の実施形態に対応してテーパナットを嵌着する方向が図１０と反対である場合も、ワッシャ２７１を用いてメガネレンズ４と智５のようなメガネフレーム部品を結合することは可能である。
図１１は、取付構造は図８で説明した実施形態と似ているが、テーパナット１０２の材料に、変形しやすい軟質な部材を用いた場合の実施形態を示す図である。図１１（Ａ）では、図１０で説明した実施形態のように、テーパナット１０２の下端が智５から飛び出している。ここで、智５に形成された孔の開口部には面取り部５０４が設けてある。そして、テーパナット１０２の材質にポリアセタールやジュラコン等のナイロン系樹脂材を用いることで、雄ネジ７３０の締め付けに対し図１１（Ｂ）に示すようにテーパナット１０２の先端部１０２４が面取り部５０４を塞ぐように拡がりながら変形する。この変形した先端部１０２４が、雄ネジ７３０が生み出すメガネレンズ４の方向への締め付け力を、面取り部５０４を介して智５に伝えるため、メガネレンズ４と智５は強固に固定される。
図１２は、雄ネジ７４０がテーパ部７４２を有する場合の実施形態を説明するものである。このテーパ部７４２には、ネジ頭７４３からネジ部７４１の方向、つまり雄ネジ７４０を締めると雄ネジ７４０が進む方向に縮小するテーパが形成されている。図１２（Ａ）に示すように、メガネレンズ４には、智５と接しない側の面に拡大開口するようにテーパを有する孔４２が設けられ、この孔４２にテーパナット１０３が嵌着される。この実施形態では、図１２（Ｃ）に示すように、メガネレンズ４に嵌め込まれたテーパナット１０３のテーパ部１０３２の縮小方向の先端部はメガネレンズ４の中途に達して止まり、智５まで到達しない。また、智５には図１２（Ｂ）に示すように、メガネレンズ４と接しない側の面に拡大開口するようにテーパを有する孔５０５が開けられる。図１２に示す実施形態では、孔５０５に孔段部５０６が設けられているが、必要に応じて孔段部５０６を設けないようにしても良い。
そして図１２（Ｃ）に示すように、メガネレンズ４に嵌合されたテーパナット１０３の雌ネジ部１０３３に、孔５０５を通した雄ネジ７４０を螺合することで、メガネレンズ４と智５を結合する。ここで、テーパナット１０３のテーパ面の摩擦力により、メガネレンズ４はテーパナット１０３に対して自由に回動しないように固定される。また、雄ネジ７４のテーパ部７４２と孔５０５のテーパ面との間の摩擦力により、雄ネジ７４に対して智５は容易に回転することができない。つまりこの実施形態においても、テーパナット１０３と雄ネジ７４をしっかりと締め付けることにより、両部品は結合されると同時にそれぞれのメガネ部品は容易に回動しないように固定される。
図１２（Ｃ）において、雄ネジ７４０のネジの先端部がテーパナット１０３から突出する場合は、図１３に示すように雄ネジ７４のネジの先端部とナット９を係合させて締め付けることで、メガネレンズ４とメガネフレーム部品の結合をより強固なものとしても良い。この場合、ナット９とテーパナット１０３又はメガネレンズ４との間にワッシャ等を適宜介在させても良い。
図１２及び図１３に示す実施例では、メガネレンズ４の顔に面する側からテーパナット１０３を嵌め込んでいる。しかし、これとは逆に図９に示すようにメガネレンズ４と智５を位置させ、智５の顔に面する側からテーパナット５を嵌め込んでも良い。
図１４は、テーパナット１０４及びテーパナット１０５を用いてメガネレンズ４と智５を結合する実施形態を説明するものである。図１４（Ａ）に示すように、テーパナット１０４の内周面には、テーパナット１０４の外周面のテーパ部１０４２とは逆の向き、つまりつば部１０４１に向けて縮小するテーパが形成されたテーパ孔１０４３が設けられている。そして、このテーパナット１０４はメガネレンズ４の、智５とは接しない側に拡大開口するようテーパが設けられた孔４０３に嵌合される。そして、図１４（Ｂ）に示すように、智５のメガネレンズ４とは接しない側に拡大開口するテーパが設けられた孔５０７に対し、内部に雌ネジ１０４３を有するテーパナット１０４が嵌着される。
そして図１４（Ｃ）に示すように、テーパナット１０４のテーパ部１０４３を貫通する雄ネジ７５０と、テーパナット１０５の雌ネジ部１０５３とを螺合することで、メガネレンズ４と智５を結合する。このとき、テーパナット１０５のテーパ部１０５２の先端部分は、テーパナット１０４のテーパ孔１０４３に嵌合し、テーパナット１０４とテーパナット１０５は互いに自由に回転しないように固定される。
メガネ部品に用いられる雄ネジ７５０には前述のように、Ｍ１．４（直径が１．４ｍｍ）に規格化されたものが一般的に用いられる。また、智５の方にテーパナットを嵌め込んで使用する場合には、メガネのデザインによっては智５のサイズが小さく、メガネの強度を考慮すると智５には大きな孔５０７を開けることができなくなる。これらの要因によりテーパナット１０５の大きさは限定されるが、テーパナット１０５のテーパ部はその面積が大きいほど強い摩擦力を生み、結果として固定力は強くなるため、部品同士の回転を抑制するという目的を達成するには周囲面積の大きなテーパナットを用いることが望ましい。
そこで、本実施形態のようにテーパナット１０５よりも周囲面積の大きなテーパナット１０４をテーパナット１０５と共に用いることで、テーパナット１０４とメガネレンズ４との間の回転に対する固定力を強化することができる。ここで、テーパナット１０４とテーパナット１０５に同じ材質の金属材料を用いると、「がじり」という現象によりテーパナット同士が強固に固定されるため、部品同士の回転を防止するという作用にとってより有利な効果を得ることができる。また、テーパナット１０５と智５が接する孔５０７に接着材を塗布し、テーパナット１０５と智５との固定をさらに強化しても良い。
図１５は図１４（Ｃ）に示す実施形態について、２つのテーパナット１０４、１０５と雄ネジ７５０を挿入する方向を入れ替えたものを示しており、その作用や効果については図１４で説明した実施形態と同様である。またメガネレンズ４の厚さが薄く、智５の強度が十分である場合等は、テーパナット１０４を智５側に、テーパナット１０５をメガネレンズ４に嵌着する形態で使用しても良い。
図１６は、テーパ部１０６３及びテーパ部１０６４の２つのテーパ部を有するテーパナット１０６０を用いてメガネレンズ４と智５を結合する実施形態を説明する図である。テーパナット１０６０は図１１（Ａ）に示すように、つば部１０６１を境につば部１０６１から遠ざかるに従い縮小するテーパからなる、テーパ部１０６３およびテーパ部１０６４を有している。また、テーパナット１０６０の中心軸上には、ボルト７６０を通すための貫通孔１０６２が開けられている。一方、メガネレンズ４には智５と向かい合う側の面に拡大開口する孔テーパ部４０４１を有する孔４０４が開けられている。同様に、智５にはメガネレンズ４と向かい合う側の面に拡大開口する孔テーパ部５０８１を有する孔５０８が設けられている。
図１６に示すようにテーパナット１０６０のテーパ部１０６３をメガネレンズ４の孔テーパ部４０４１に嵌合させ、同様にテーパ部１０６４を智５の孔テーパ部５０８１に嵌合させた状態で、ボルト７６０を貫通孔１０６２に通し、反対側からナット９０１で締め付けることでメガネレンズ４と智５を結合する。このとき、メガネレンズ４と智５は締まりばめされているテーパナット１０６０により、互いに回転しないよう固定される。また、図１６（Ｃ）において一点鎖線で囲んだＵ部には隙間が生じている。これは、メガネレンズ４と智５が接触すると、テーパナット１０６０が両メガネ部品に対し十分に嵌め込まれない可能性があるためである。しかし、孔４０４および孔５０８を微調整等することにより、この隙間を無くすことは可能である。
図１６では智５側からボルト７６０を通す実施形態について説明をしたがメガネレンズ４側からボルト７６０を通し、智５の側からナット９０１で締め付けるようにしても良い。
図１４、１５及び１６に示した実施形態はメガネレンズとメガネフレーム部品の結合に限るものでは無く、メガネ以外の部材や部品同士を結合させることにも当然に適用可能である。
この他に、図１７及び図１７の一点鎖線で囲んだＶ部を拡大した図１８に示す、智５もしくはブリッジ６に総形ドリルで孔４３を開けてテーパナット１０１を嵌着し、メガネレンズ４に雄ネジ７１を貫通させる孔５２を開けて両部品を結合する実施形態も可能である。しかしこの実施形態ではメガネレンズ４が顔と面する方向に雄ネジ７１のネジ頭が突出する。また、視界の確保やメガネ全体のデザイン上の都合により、智５やブリッジ６の大きさを小さく抑える必要が生じる場合もあり、そこにテーパナットを嵌着するための孔を開けると部品の強度が低下する恐れがある。その一方メガネレンズ４はその度数にもよるが一定の幅及び厚さがあるため、テーパナット４を嵌着するための孔４２を形成するための場所を確保することが容易である。これらの理由によりメガネレンズ４にテーパコマを嵌着する実施形態は優れている。
メガネレンズ４の材料にはガラスもしくはプラスチックが多く用いられ、これらの場合にはテーパナット１０の材料としてチタン、ステンレス、硬質プラスチック、鉄等を選択することが望ましい。図１８及び図２０に示す実施形態においては、前述のリムロックの場合と同じ材質を選択することが望ましい。
図１９は、メガネの丁番ネジ１３を表したものであり、図１９の一点鎖線で囲んだＺ部を拡大し、その一部断面図を示したものが図２０及び図２１である。智１７３にはテーパナット１５専用の総形ドリルにてテーパを有する孔１３４が開けられており、テーパナット１５は孔１３４に嵌着されている。また、テンプル１６１にはテーパの無いストレート状の孔１３５が開けられ、智１７２には雄ネジ１４のための座繰りのついたテーパの無いストレート状の孔１３６が開けられている。テーパナット１５がこれらの孔を孔１３４、孔１３５、孔１３６の順に貫通し、雄ネジ１４を孔１３６側から貫通させテーパナット１５の雌ネジと螺合することで、智１７とテンプル１６は連結される。
以上、孔１３６にテーパが無い場合について説明したが、孔１３６にはテーパがついていても良い。この場合、孔１３４、１３６は総形ドリルにて形成される。孔１３６がテーパを有する場合はテーパナット１５の先端部と智１７２とが締まりばめにより密着するため、智１７２とテーパナット１５又は雄ネジ１４との擦り合わせが小さくなり、智１７２の磨耗を防ぐため好適である。また、智１７とテンプル１６が摺動可能となるためには、テンプル１６１に開けられた孔１３５にはテーパを形成しない方が好ましい。
この実施形態においても、テーパナット１５が智１７３に対してテーパ部により面接触するため、テンプル１６１の摺動による応力が丁番ネジ１３にかかっても、結合が緩みにくくなる。また、テーパナット１５の先端が雄ネジ１４のネジ頭に接するまで雄ネジ１４を締め付けるが、この締め付けた状態において雄ネジ１４のネジ頭の先端が智１７２と接触するように、テーパナット１５の全長と孔１３４、１３５、１３６の全長及び形状を管理すれば、雄ネジ１４の締め付けによる智１７２の変形を防ぐことができる。
また、雄ネジ１４のネジ頭とテーパナットの先端部とが接触するようネジを締付けるためネジの緩みが生じにくく、智１７とテンプル１６を強固に連結することが可能である。
図２１では、二股に分かれた智１７２がテンプル１６１を挟み込む構成となっているが、その逆で二股に分かれたテンプル１６１が智１７２を挟み込む構成であっても良い。
図２２はテーパナット１９と雄ネジ１８によるメガネ部品２０、２４の結合が緩んだ場合に、再び結合を強める方法を図示したものである。この図においては、テーパナット１９は専用の総形ドリルにてメガネ部品２４に加工形成された孔２４１に嵌着されており、テーパナット１９の先端はメガネ部品２０に形成された、テーパの無い孔２０１の中途に達している。そして、メガネ部品２０の孔２０１を貫通するように雄ネジ１８とテーパナット１９を螺合することで、メガネ部品２０、２４は結合されている。
図２２（Ａ）では、メガネ部品２０、２４の間に隙間２５が生じており、両部品の結合が緩んだ状態を示している。この緩みは、雄ネジ１８とメガネ部品２０、もしくはテーパナット１９とメガネ部品２０との接触によりメガネ部品２０が磨耗したり、雄ネジ１８とテーパナット１９の雌ネジの螺合が緩むために生じる。ここで、テーパナット１９のテーパ部分の中心軸に沿った長さをＬとすると、図２２（Ｂ）に示すように同じテーパ角度を持ちテーパ部分の中心軸に沿った長さがＬよりもＬ１だけ短いテーパナット２６をテーパナット１９の替わりに用いれば、雄ネジ１８がＬ１の長さ分だけテーパナット２６に深く螺合され、図２２（Ｃ）に示すようにメガネ部品２０、２５は再び強固に結合される。
図２３は、テーパナット１９と雄ネジ１８によるメガネ部品２０、２４の結合が緩んだ場合に再び結合を強める、その他の方法を図示したものである。メガネ部品２０、２４の結合構造については、図２２と同様である。図２３に示す方法では、テーパナット１９の中心軸方向の長さを短いものに交換するのではなく、図２３（Ｂ）に示す厚さＬ１のカラー２７をテーパナット１９のつばとメガネ部品２４の間に介在させる。これにより、テーパナット１９の先端がメガネ部品２０の孔２０１内において到達するのはＬ１の長さだけ、雄ネジ１８の側から奥まった場所となるため、雄ネジ１８がＬ１の長さ分だけテーパナット１９に深く螺合され、図２３（Ｃ）に示すようにメガネ部品２０、２４は再び強固に結合される。
本明細書において用いたメガネ部品を指す用語は、ＪＩＳ規格（ＪＩＳ７２８０）に対応するものであるが、本規格において図示により定義されているメガネ部品以外であっても、ＪＩＳ規格に示されるメガネ部品と同じ機能を有する部品であれば、本発明の実施形態をそれら部品に適用することは可能である。また、メガネレンズと、智又はブリッジとの結合や、リムロック、丁番ネジの部分以外についても、メガネ部品同士の締結に本発明を用いることは可能である。
また、本発明はメガネに関するものであるが、ウェアラブル・コンピュータのために使用されるような頭部に装着するディスプレイ、モニタ等についても本発明を適用することが可能である。
【図面の簡単な説明】
図１は、本発明の一実施形態によるテーパナットを用いてリムロックを結合したメガネである。
図２は、図１のＸ部の拡大図であって、本発明の一実施形態によるテーパナットを用いたリムロックの結合構造である。
図３は、本発明で用いるテーパナットの概略図である。
図４は、図１のＸ部の拡大図であって、本発明の図２とは異なる一実施形態によるテーパナットを用いたリムロックの結合構造である。
図５は、メガネレンズとブリッジ、智の結合関係を示した図である。
図６は、本発明の一実施形態によるテーパナットを用いたメガネレンズ及びブリッジ又は智の結合関係を示す横断面図である。
図７は、図６のＹ部の拡大図であって、本発明の一実施形態によるテーパナットを用いたメガネレンズの結合構造である。
図８は、図６のＹ部の拡大図であって、本発明の一実施形態によるテーパナットを用いたメガネレンズとメガネフレーム部品の結合構造である。
図９は、図８に示す実施形態について、テーパナットを挿嵌する方向を変えた場合の実施形態を示す図である。
図１０は、図８に示す実施形態について、ワッシャを用いた場合の実施形態を示す図である。
図１１は、図８に示す実施形態について、テーパナットに軟質な部材を用いた場合の実施形態を示す図である。
図１２は、テーパナットとテーパ付きボルトを用いてメガネレンズ及びブリッジ又は智を結合する様子を示した図である。
図１３は、図１２に示す実施形態において、ナットを用いた場合の実施形態を示す図である。
図１４は、内周面にテーパが形成された孔を有するテーパナットを用いてメガネレンズ及びブリッジ又は智を結合する様子を示した図である。
図１５は、図１４に示す実施形態について、テーパナットを挿嵌する方向を変えた場合の実施形態を示す図である。
図１６は、本発明の一実施形態によるテーパナットを用いたメガネレンズ及びブリッジ又は智の結合関係を示す横断面図である。
図１７は、図６とは異なる、本発明の一実施形態によるテーパナットを用いたメガネレンズ、ブリッジ、智の結合関係を示す横断面図である。
図１８は、図１７のＶ部の拡大図であって、本発明の一実施形態によるテーパナットを用いたメガネレンズの結合構造である。
図１９は、テンプルと智を連結する丁番ねじを示した図である。
図２０は、図１９のＺ部の拡大図であって、本発明の一実施形態によるテーパナットを用いた丁番ネジの断面拡大図（その１）である。
図２１は、図１９のＺ部の拡大図であって、本発明の一実施形態によるテーパナットを用いた丁番ネジの断面拡大図（その２）である。
図２２は、本発明の一実施形態によるテーパナットを用いたメガネ部品結合構造における、ネジの締付け強度の調整方法（その１）である。
図２３は、本発明の一実施形態によるテーパナットを用いたメガネ部品結合構造における、ネジの締付け強度の調整方法（その２）である。
図２４は、従来の、メガネレンズとブリッジ、智との連結構造である。
図２５は、図２４のＷ部の拡大図であって、従来のメガネレンズとブリッジ、智との連結構造である。
【図１】
2002065193.tif 000003
【図２】
2002065193.tif 000004
【図３】
2002065193.tif 000005
【図４】
2002065193.tif 000006
【図５】
2002065193.tif 000007
【図６】
2002065193.tif 000008
【図７】
2002065193.tif 000009
【図８】
2002065193.tif 000010
【図９】
2002065193.tif 000011
【図１０】
2002065193.tif 000012
【図１１】
2002065193.tif 000013
【図１２】
2002065193.tif 000014
【図１３】
2002065193.tif 000015
【図１４】
2002065193.tif 000016
【図１５】
2002065193.tif 000017
【図１６】
2002065193.tif 000018
【図１７】
2002065193.tif 000019
【図１８】
2002065193.tif 000020
【図１９】
2002065193.tif 000021
【図２０】
2002065193.tif 000022
【図２１】
2002065193.tif 000023
【図２２】
2002065193.tif 000024
【図２３】
2002065193.tif 000025
【図２４】
2002065193.tif 000026
【図２５】
2002065193.tif 000027
【国際調査報告】
2002065193.tif 000028
2002065193.tif 000029
2002065193.tif 000030
2002065193.tif 000031